(57)【要約】  狭い空間内の収納システムは、細長い衣装アクセサリーの収納及び陳列に有用である。このシステムは、フレーム５１及び収納装置６１を備えている。収納装置６１は、そのフレーム５１の一部に取り付けられており、複数の容器７１及び複数のブラケット群７２，７３Ａ−７３Ｆを備えている。複数のブラケット群７２，７３Ａ−７３Ｆのうちの各ブラケット群７２，７３Ａ−７３Ｆは、複数のブラケットを備え、ブラケット群７２における各ブラケット７７は、１本の線に沿って、そのブラケット群７２における他のブラケット７７に対して異なる垂直位置及び水平位置に配置されている。これにより、使用中において、ブラケット７７から垂下する品物の各々は、収納装置６１の一面から見える。
2010536509.tif 000002
【特許請求の範囲】
【請求項１】
フレームと、前記フレームの一部に移動可能に取り付けられた収納装置とを備え、前記収納装置は、複数の容器及び複数のブラケット群を有し、前記複数のブラケット群の各々は複数のブラケットを含み、所定のブラケット群における各ブラケットは、１本の線に沿って、同ブラケット群における他のブラケットに対して異なる垂直位置及び水平位置に配置され、これにより、使用中において、前記ブラケットから垂下する品物の各々は、前記収納装置の一面から見える、狭い空間内の収納システム。
【請求項２】
前記複数のブラケット群における少なくとも１つのブラケット群は、前記収納装置の端壁に連結される、請求項１に記載のシステム。
【請求項３】
前記複数のブラケット群における少なくとも１つのブラケット群は、前記収納装置の底部パネルから下方に延伸するアームに連結される、請求項１に記載のシステム。
【請求項４】
前記フレームは、キャビネットの上部である、請求項１に記載のシステム。
【請求項５】
前記フレームは可動アームの第１の端部を含み、前記収納装置は前記可動アームの第２端部に取り付けられる、請求項１に記載のシステム。
【請求項６】
前記収納装置は、伸縮軌道機構を備えている、請求項１に記載のシステム。
【請求項７】
前記複数のブラケット群のうちの少なくとも１つにおける前記複数のブラケットは、細長い衣装アクセサリーを掛けることに適用される、請求項１に記載のシステム。
【請求項８】
前記細長い衣装アクセサリーは、ベルト、ネクタイ、又はスカーフを含む、請求項７に記載のシステム。
【発明の詳細な説明】
【技術分野】
【０００１】
本発明は、収納システムに関し、特に（しかしこれに限らない）ワードローブの空間を効率的に利用するためのワードローブ収納システムに関する。
【背景技術】
【０００２】
従来のワードローブの収納装置は、ワードローブの空間を効率的に利用することができなかった。さらに、従来のワードローブの形式では、多くの衣料小物、例えばベルト、スカーフ、ネクタイ又は同類のものを容易に収納できないため、これら品物が散らかったり、損傷したり、又は紛失したりすることがよくあった。
【発明の概要】
【発明が解決しようとする課題】
【０００３】
使用できるワードローブ又は寝室の空間をより効率的に利用可能な衣装及び衣装アクセサリーの収納システムを提供することにおける関心が継続している。理想的な収納システムは、ワードローブ又は他の狭い空間に容易に組み込まれることが可能であり、収納の品物を区切るとともに、収納品物を過度に再整理する必要がなくこれらの品物を目で確認することを容易にし、且つ相対的に安定し、使用可能な収納空間を効率的に利用することのできるものである。
【０００４】
本発明の目的は、ワードローブのための改善された収納システム、及び現存のワードローブ収納システムの代替品を提供することにある。
【課題を解決するための手段】
【０００５】
本発明の１つの態様では、フレームと、前記フレームの一部に移動可能に取り付けられた収納装置とを備え、前記収納装置は、複数の容器及び複数のブラケット群を有し、前記複数のブラケット群の各々は複数のブラケットを含み、所定のブラケット群における各ブラケットは、１本の線に沿って、同ブラケット群における他のブラケットに対して異なる垂直位置及び水平位置に配置され、これにより、使用中において、前記ブラケットから垂下する品物の各々は、前記収納装置の一面から見える、狭い空間内の収納システム。
【０００６】
また、前記複数のブラケット群における１つのブラケット群は、前記収納装置の端壁に連結されてもよい。
また、前記複数のブラケット群における１つのブラケット群は、前記収納装置の底部パネルから下方に延伸するアームに連結されてもよい。
【０００７】
また、前記フレームは、キャビネットの上部であってもよい。
また、前記フレームは可動アームの第１の端部を含み、前記収納装置は前記可動アームの第２端部に取り付けられてもよい。
【０００８】
また、前記収納装置は、伸縮軌道機構を備えていてもよい。
また、１つのブラケット群における複数のブラケットは、ベルト、ネクタイ、又はスカーフを含む細長い衣装アクセサリーを掛けるように構成されてもよい。
【図面の簡単な説明】
【０００９】
【図１】本発明の所定の実施形態に係る、単一のレール支持部を有する収納システムを示す図。
【図２】図１におけるシステムの正面図。
【図３】収納システムの変更例を示す図。
【図４】支持フレームの変更例を示す図。
【図５】本発明の所定の実施形態に係る、内蔵型のキャビネットに具体化された収納システムを示す斜視図。
【図６】図５における内蔵型のキャビネットを、その扉が開いていて収納装置が露呈された状態で示す斜視図。
【図７】本発明の所定の実施形態に係る図６の収納装置の拡大斜視図であり、複数の容器及び複数のブラケット群を示す。
【図８】図７における収納装置を更に拡大して示す斜視図であり、複数のネクタイが掛けられている複数のブラケット群を示す。
【図９】本発明の更に別の変更例に係る、内蔵型のキャビネットに具体化された収納装置を示す斜視図。
【図１０】図９における内蔵型のキャビネットを、その扉が開いていて収納装置が露呈された状態で示す斜視図。
【発明を実施するための形態】
【００１０】
本願発明の実施形態は、ワードローブ収納システムを含んでいる。本記載に基づき当業者に対して明らかである詳細な事項を必要以上に記載することにより本発明の開示を混乱させることを回避するために、図面において、本発明の実施形態を理解するために必要となる特徴的な詳細のみを示す簡潔な輪郭の形式で、本発明の構成要素を示している。
【００１１】
この特許明細書において、例えば「第１の」及び「第２の」、「左の」及び「右の」、「前の」及び「後の」、「頂部の」及び「底部の」等の形容詞は、単に１つの要素を他の要素と区別するために使用されており、必ずしもその形容詞が示す特定の相対位置又は配列を限定する意味ではない。例えば「からなる」又は「含む」等の単語は、一連の排他的な要素又は方法を定義するものではない。むしろ、これらの単語は、本発明の特定の実施形態に含まれる最小限の一連の要素又は方法を定義する。当然ながら、本発明は、様々なワードローブのために様々な方法で実行されることが可能であり、本説明は、単なる一例として行われる。
【００１２】
図面を参照すると、図１は、本発明の所定の実施形態に係るワードローブ収納システムを示す概略図である。このワードローブの内部には、支持フレーム１１が取り付けられており、この支持フレーム１１には、可動アーム１２が連結されている。可動アーム１２は、遠近感のある双頭矢印１３によって示される方向において伸長、及び引き込み、ワードローブの前を通過することができる。レール１７がワードローブの正面に同正面に対して垂直になるように固定されている。レール１７から伸長、又は引き込む可動アーム１２には、収納手段１４が結合されており、この収納手段１４は、個人の品物を収納するための容器を含んでいる。これらの容器は、例えば引出し、ラック、フック、箱、入れ物、又は同類のものを任意に含むことができる。これらの入れ物、箱及び他の区切られた収納容器の開口は、容器に収納された品物が外に落ちないことを確保するために、扉、蓋、又はばね蓋によって覆われてもよく、１つ又は２つ以上のその前方を横断する柵を備えてもよい。これらの容器の後部は、ガーゼ、格子、網、又は他の半透明の部材により覆われてもよく、これにより、光がこれらの容器に入ることができ、同容器内の対象を容易に目で確認することができる。代わりに、容器の後部は、中実のパネルにより囲まれてもよい。
【００１３】
図２に示されるように、水平表面２３には、収納システムのフレーム２５が固定されている。この水平表面２３は、例えばワードローブの天井、又は棚の底部であり得る。例えばボルト２９を用いてフレーム２５を所定表面の底部に締めることにより、そのフレーム２５をワードローブに固定することができる。このフレーム２５は、ワードローブの後部壁２２と該ワードローブの前部２８との間に固定されている。図１に示されるように、フレーム１１は、ワードローブ内に位置して柱１５を含む垂直構造体の間に固定されることが可能である。例えばフック２６、ラック２４等の任意的な機構がその収納装置に存在してもよい。それらの容器の前部は、その前を横断するように延びる柵２７を有してもよい。図２に示される典型的な装置は、２つの引出し２１を備えているが、より多くの、又はより少ない引出しを備える装置を採用してもよい。
【００１４】
図３において、より小さな収納システムが概略的に示されている。異なる深さ及び幅のワードローブにこの収納システムを取り付けるために、この収納システムの寸法を変更することが予想される。より小さな収納システムは、例えばホテルのワードローブと、アパートのワードローブ及びクロゼットとに好ましい。一方、より大きなシステムは、家庭用のワードローブ及びクロゼットに好ましい。
【００１５】
このワードローブシステムは、主に男性のアクセサリー、例えば蝶ネクタイ、ベルト、カフスボタン、靴下、ハンカチ、ネクタイ、及び同類のもの収納に適するように構成されてもよく、代わりに、より女性のアクセサリー、例えばスカーフ、ストッキング、ランジェリー、手袋、宝石類、及び同類のものに適するように構成されてもよい。この収納システムは、より安全な保管が要求される貴重品又は同類の品物等を保護するために、施錠可能な扉を有する引出し又は容器を備えてもよい。両面収納装置も想定されており、この収納装置は、同装置の前面及び背面の双方に、一連の離間する容器を備えている。この収納装置の両側は同様の構成を備えることができる。即ち、片側の構成を反対側に複製することができる。代わりに、両側における容器が異なってもよい。例えば、片側は男性のアクセサリーの収納に適しており、反対側は女性のアクセサリーの収納に適している。更に、この収納装置は、前方開口と後方開口とを有して両側から使用可能な単一系列の容器を備えてもよい。この収納システムは、大人の衣装及びアクセサリーを整理するのみならず、代わりに子供用のワードローブに適用され、子供用のワードローブにおける子供の衣装、おもちゃ、及び他の道具の収納に適した容器を備えることができる。これらの容器が箱である場合、これらの容器における品物が外に落ちないことを確保するために、要求に応じてカバー、扉、柵、又は他種の保持要素を同容器の前部に追加してもよい。
【００１６】
当業者には明らかなように、ワードローブシステムの構成部材は、金属、木材、プラスチック、又は他の合成材料を含む材料範囲における材料により形成されることが可能である。このワードローブシステムの構成部材は、手作り、機械加工、又は予成型により形成されることが可能である。
【００１７】
図４は、所定のワードローブシステムを示す後方斜視図である。示されるシステムは、収納装置を支持する２つの平行なアーム４１を備えている。この収納装置は、遠近感のある双頭矢印４２に示されるように、その収納装置の部分４３に取り付けられたアーム４１の伸縮動作に基づき、ワードローブ内にスライドし、又は同ワードローブから外部にスライドすることができる。収納装置の後部は、格子４４によって覆われている。この格子４４は、光が収納装置の各収納室に入ることを許容し、これにより、その内部における品物を目で確認しやすくなる。
【００１８】
図５は、本発明の所定の実施形態に係る収納システムを示す斜視図であり、この収納システムは、内蔵式のキャビネット５１である。このキャビネット５１は、扉５２，５３が閉まっており、かつハンドル５４がこれらの扉５２，５３に沿って延びている状態で示されている。
【００１９】
図６は、扉５２，５３が開いている状態のキャビネット５１を示す斜視図である。キャビネット５１の上部を備えるフレームには、収納装置６１が移動可能に固定されており、この収納装置６１は、キャビネット５１から外部へ伸びている。例えば、伸縮軌道機構６２により、収納装置６１をキャビネット５１にスライド可能に固定することができる。
【００２０】
図７は、この収納装置６１の拡大斜視図であり、本発明の所定の実施形態に係る複数の容器７１及び複数のブラケット群７２，７３Ａ，７３Ｂ，７３Ｃ，７３Ｄ，７３Ｅ，７３Ｆを示している。容器７１は、端部が開口する複数の箱及び２つの引出し７６を備えており、これらの箱及び引出しは、例えばＴシャツ，靴下，ショーツ，及び他の小物等の品物を収納するためのものである。各ブラケット群７２，７３Ａ，７３Ｂ，７３Ｃ，７３Ｄ，７３Ｅ，７３Ｅは、複数のブラケットを含み、例えば、複数のブラケット７７がブラケット群７２に含まれている。１つのブラケット群における各ブラケットは、所定の線に沿って、同ブラケット群における他のブラケットに対して異なる垂直位置及び水平位置に配置されている。例えば、ブラケット群７２におけるブラケット７７は、線７８に沿って配置され、各ブラケット７７は、その上方にある各ブラケット７７よりも、収納装置６１の端壁７９から外側へ突出している。従って、例えば使用時に各ブラケット７７から異なるベルトが垂下する場合、これらのベルトはその端壁７９に積み重ねるように掛けられる状態になる。しかしながら、各ベルトの一部が少なくとも一対のブラケット７７の間の鉛直空間から見える状態に維持される。これにより、例えばベルト、ネクタイ及びスカーフ等、細長い衣類アクセサリーを整った且つコンパクトな形で収納することができ、更に各アクセサリーが収納された際に各アクセサリーの少なくとも一部を目で確認することができる。
【００２１】
図８は、収納装置６１を更に拡大して示す斜視図であり、同図において複数のブラケット群７３Ａ，７３Ｂ，７３Ｃ，７３Ｄ，７３Ｅ，７３Ｆが示されており、各ブラケット群から複数のネクタイが垂下している。同図に示されるように、使用者は、複数のネクタイの何れをも接触、移動しなくても、該使用者の各々のネクタイの少なくとも一部を目で確認することができるため、例えばスーツに似合うネクタイ等を探すために、垂下する大量のネクタイをあちこち動かす必要がない。
【００２２】
図９は、本発明の更に別の実施形態に係る収納システムの斜視図であり、この収納システムは、内蔵型のキャビネット９１に具体化したものである。キャビネット９１は、扉９２が閉まっている状態で示されている。
【００２３】
図１０は、扉９２が開いている状態の内蔵型のキャビネット９１を示す斜視図である。このキャビネット９１の上部には、収納装置１０１が移動可能に固定されており、この収納装置１０１は、そのキャビネット９１から外部に伸びている。例えば、この収納装置１０１は、伸縮軌道機構１０２により、スライド可能にそのキャビネット９１に固定されることが可能である。収納装置１０１は、複数の容器を含み、これらの容器のサイズは、使用者により調整可能である。また、複数のブラケット群１０３Ａ，１０３Ｂ，１０３Ｃ，１０３Ｄが示されており、１つのブラケット群における各ブラケットは、収納装置１０１の底部パネルから下方に延伸するアーム１０４に連結されている。従って、上述の複数のブラケット群７２，７３Ａ，７３Ｂ，７３Ｃ，７３Ｄ，７３Ｅ，７３Ｆと同様に、これらの複数のブラケット群１０３Ａ，１０３Ｂ，１０３Ｃ，１０３Ｄにおいて、各ブラケット群における各ブラケットが１本の線に沿って、同じブラケット群における他のブラケットに対して異なる垂直位置及び水平位置に配置されている。収納装置の使用中では、それらのブラケット群１０３Ａ，１０３Ｂ，１０３Ｃ，１０３Ｄにおけるブラケットから垂下する各品物の少なくとも一部がその収納装置１０１の一面から見える状態になっている。
【００２４】
本発明の様々な実施形態の上記記載は、当業者に説明することを目的とするものである。これは、網羅的であること、又は本発明を１つの開示された実施形態に限定することを目的とするものではない。上述したように、当業者は以上の教示に鑑みて、本発明について多数の変形及び変更を行うことを容易に想到し得る。従って、いくつかの実施形態の変更例が詳細に説明されたが、当業者は、他の実施形態を容易に想到し、又は相対的に容易に開発することができる。従って、この明細書は、ここで説明された本発明の全ての変形、改良、変更、並びに上述の発明の主旨及び範囲を逸脱しない他の実施形態を包含することを目的とする。
【図１】
2010536509.tif 000003
【図２】
2010536509.tif 000004
【図３】
2010536509.tif 000005
【図４】
2010536509.tif 000006
【図５】
2010536509.tif 000007
【図６】
2010536509.tif 000008
【図７】
2010536509.tif 000009
【図８】
2010536509.tif 000010
【図９】
2010536509.tif 000011
【図１０】
2010536509.tif 000012
【国際調査報告】
2010536509.tif 000013
2010536509.tif 000014